(57)【特許請求の範囲】
【請求項１】
ガラス製またはステンレス製の一重または真空二重の中びん（２）を設け、この中びん（２）を囲む外装ケース（３）を設け、この外装ケース（３）の上端に合成樹脂材料の肩部材（４）を装着し、外装ケース（３）の下端に底部材（５）を装着し、肩部材（４）の上端面に蓋体（６）を着脱自在に装着した魔法びん（１）であって、上記肩部材（４）が注ぎ口（８a）と、注ぎ口（８a）に連通し中央開口（８b）の受部（８c）と、受部（８c）下端で上端より下端にかけて一部又は全体が尻すぼみ状に傾斜した筒状の胴部（８d）とを一体成形した肩本体（８）と、この肩本体（８）の胴部（８d）外周全体に装着し、内周壁が肩本体（８）の胴部（８d）外周に沿って尻すぼみ状に傾斜したリング体（９）とを設けていることを特徴とした魔法びん。
【発明の詳細な説明】
【０００１】
【発明の属する技術分野】
本発明は、魔法びんに関するものである。
【０００２】
【従来の技術】
従来、魔法びんはガラス製またはステンレス製の一重または真空二重の中びんを設け、この中びんを囲む外装ケースを設け、この外装ケースの上端に合成樹脂材料の肩部材を装着し、外装ケースの下端に底部材を装着し、肩部材の上端面に蓋体を着脱自在に装着していた。
【０００３】
【発明が解決しようとする課題】
しかしながら、近年の同種多品目生産にあっては、外装ケースに種々の異なった模様や色彩を施すものの他、この外装ケースの上端の肩部材にも種々の異なった模様や色彩を施すものが開発されている。
ところが、この種々の異なった模様や色彩に対応するには、外装ケースであれば、この外装ケースを薄い鉄板にて筒状にロールすることができるので、この鉄板表面に異なった模様や色彩を施せばコスト的に十分対応することができる。
けれども、肩部材にあっては、合成樹脂材料にて成形されるために、異なった色彩に対してはコスト的にある程度対応することができても、異なった模様の場合は肩部材の金型自体を何種類も成型しなければならず、同種多品目生産では非常なコスト高となり、コスト的に十分対応することができないという問題点があった。
【０００４】
そこで、本発明はこのような従来の魔法びんが有していた課題を解決したものであって、肩部材の金型を極端に削減すると共に簡単な作業工程にて同種多品目生産に適応でき大幅なコストの低廉をはかることができることを目的とした魔法びんを提供するにある。
【０００５】
【課題を解決するための手段】
上記目的を達成するために、本発明の魔法びんは、ガラス製またはステンレス製の一重または真空二重の中びん２を設け、この中びん２を囲む外装ケース３を設け、この外装ケース３の上端に合成樹脂材料の肩部材４を装着し、外装ケース３の下端に底部材５を装着し、肩部材４の上端面に蓋体６を着脱自在に装着した魔法びん１であって、上記肩部材４が注ぎ口８aと、注ぎ口８aに連通し中央開口８bの受部８cと、受部８c下端で上端より下端にかけて一部又は全体が尻すぼみ状に傾斜した筒状の胴部８dとを一体成形した肩本体８と、この肩本体８の胴部８d外周全体に装着し、内周壁が肩本体８の胴部８d外周に沿って尻すぼみ状に傾斜したリング体９とを設けてなる構成としている。
【０００６】
【発明の実施の形態】
以下、本発明の実施例について図に基づき説明する。
図中、図１は本発明実施例の正面図、図２は本発明実施例の縦断面図、図３は本発明実施例の要部を示す分解斜視図、図４は本発明実施例の肩本体の側面図、図５は本発明実施例の肩本体の縦断面図、図６は本発明実施例のリング体の側面図、図７は本発明実施例のリング体の縦断面図である。
魔法びん１は中びん２を囲んだ筒状の外装ケース３と、この外装ケース３の上端に装着した肩部材４と、外装ケース３の下端に装着した底部材５と、肩部材４の上端面に着脱自在に装着した蓋体６とからなっている。。
【０００７】
中びん２はガラスまたはステンレス材料にて成形された一重または真空二重びんである。
中びん２を囲む外装ケース３は薄い鉄板をロール加工してその両端をはぜ折りして筒状に成形後、上端を内側に折り曲げて図３に示すように、後述の肩部材４に無理嵌めするための環状折曲げ片３aとし、下端を内側に底輪７を嵌め込んだ状態で折り曲げている。
この外装ケース３は模様の変化しない色彩だけの変化のものであれば、後述の底部材５と一体成形した外装体として、中びん２の底から挿入して後述の肩部材４下端に装着するようにしてもよい。
【０００８】
肩部材４は合成樹脂材料にて成形された肩本体８と、肩本体８の胴部外周全体に装着するリング体９とからなっている。
この肩本体８は図３または図４乃至図５に示すように、前方に注ぎ口８aを形成し、注ぎ口８aに連通した中央開口８bの受部８cと、受部８c下端に筒状の胴部８dと、受部８c後方に把手８eとを一体成形している。
受部８cの内周壁は後述の蓋体６を螺着する雌ネジを設けている。
【０００９】
肩本体８の胴部８dの外周壁は図４及び図５に示すように、上端に所定の間隔を隔て下方に向けて尻すぼみ状に傾斜したリブ１０、１０を複数設けている。
またこの胴部８dの外周壁にはリブ１０に変えて上端より下端にかけて外周全体を尻すぼみ状に傾斜するように形成してもよい。
胴部８dの外周壁は下端に外装ケース３の環状折曲げ片３aを無理嵌め係止する無理嵌め用の環状溝１１を形成している。
【００１０】
肩本体８の胴部８dは下端外周に後述のリング体９の係止片１３、１３を差し込むための切欠き溝１２、１２を所定の間隔を隔てて複数形成している。
この切欠き溝１２は図５に示すように、無理嵌め用の環状溝１１を通り抜け、この環状溝１１よりも上方にその深さが位置するように形成している。
【００１１】
リング体９は図６乃至図７に示すように、内周壁を肩本体８の胴部８d外周に沿って尻すぼみ状に内側下方に向けて傾斜しており、外周壁に凹凸模様を形成している。
このリング体９は内周壁下端に胴部８dの切欠き溝１２内に下方より挿入され、胴部８dの内壁に係止する上向きの係止片１３を切欠き溝１２に対応して複数形成している。
このリング体９の長さは肩本体８の胴部８d上端より無理嵌め用の環状溝１１上端までの長さに等しく形成している。
【００１２】
底部材５は外装ケース３の底輪７に螺着する環状の底板１４と、底板１４の中央に螺着して中びん２を押し上げる締上げ部材１５とからなっている。
蓋体６は肩本体８の受部８c内の雌ネジに螺着して装着されており、内部に肩本体８の注ぎ口８aに連通する液流路１６と、この液流路１６を開閉する弁体１７と、この弁体１７を操作するレバー１８とを備えている。
【００１３】
外装ケース３と肩部材４との結合にあっては、先ず肩本体８の胴部８d下端よりリング体９を差し込んで押し上げ、リング体９の内周壁上端を肩本体８の胴部８d上端のリブ１０上端面にまで押し上げると共にリング体９の係止片１３を胴部８dの切欠き溝１２内へ差し込んで押し上げ胴部８dの内壁に係止する。この状態で、外装ケース３の上方より肩部材４を押し下げて、肩本体８の無理嵌め用の環状溝１１内に外装ケース３の環状折曲げ片３aを嵌め込んで装着する。これにより、下向きに径が小さくなっているリング体９であっても、外装ケース３と肩部材４との無理嵌め時に、肩本体８の胴部８dよりリング体９がずり落ちることもなく、装着することができる。
【００１４】
以上本発明の代表的と思われる卓上用ハンディタイプの魔法びんの実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して、例えば携帯用の魔法びん、エアーポット、電気ポット等に実施することができるものである。
【００１５】
【発明の効果】
以上の説明から既に明らかなように、ガラス製またはステンレス製の一重または真空二重の中びんを設け、この中びんを囲む外装ケースを設け、この外装ケースの上端に合成樹脂材料の肩部材を装着し、外装ケースの下端に底部材を装着し、肩部材の上端面に蓋体を着脱自在に装着した魔法びんであって、上記肩部材が注ぎ口と、注ぎ口に連通し中央開口の受部と、受部下端で上端より下端にかけて一部又は全体が尻すぼみ状に傾斜した筒状の胴部とを一体成形した肩本体と、この肩本体の胴部外周全体に装着し、内周壁が肩本体の胴部外周に沿って尻すぼみ状に傾斜したリング体とを設けてなる構成としているので、一つの肩本体に対し、簡単な金型となる異なった数種のリング体を成形して、肩本体の胴部にリング体を嵌め込むだけで、種々の異なった模様または色彩の肩部材を設けることができ肩部材の金型を極端に削減すると共にリング体が肩本体の胴部に対して全く緩まず、ガタツキのないものとなるために簡単な作業工程にて同種多品目生産に適応でき大幅なコストの低廉をはかることができるという顕著な効果を期待することが出来るに至ったのである。
【図面の簡単な説明】
【図１】本発明実施例の正面図。
【図２】本発明実施例の縦断面図。
【図３】本発明実施例の要部を示す分解斜視図。
【図４】本発明実施例の肩本体の側面図。
【図５】本発明実施例の肩本体の縦断面図。
【図６】本発明実施例のリング体の側面図。
【図７】本発明実施例のリング体の縦断面図。
【符号の説明】
１…魔法びん
２…中びん
３…外装ケース
３a…環状折曲げ片
４…肩部材
５…底部材
６…蓋体
７…底輪
８…肩本体
８a…注ぎ口
８b…中央開口
８c…受部
８d…胴部
８e…把手
９…リング体
１０…リブ
１１…環状溝
１２…切欠き溝
１３…係止片
１４…底板
１５…締上げ部材
１６…液流路
１７…弁体
１８…レバー
１４…底板
【図１】
0004018278.tif 000002
【図２】
0004018278.tif 000003
【図３】
0004018278.tif 000004
【図４】
0004018278.tif 000005
【図５】
0004018278.tif 000006
【図６】
0004018278.tif 000007
【図７】
0004018278.tif 000008